(57)【要約】【課題】コネクタハウジングの上下方向のコンパクト化を維持したままで、ランスの強度アップと部品点数の削減とを図ることが可能なコネクタを提供する。【解決手段】端子金具５ｂの挿入を続けると、端子金具５ｂは、電気接触部の前端がランス７ａの前側斜面２４を摺動し、これにより前方へ案内される。そして、端子金具５ｂの傾きが元の状態に戻り、電気接触部の前端がコネクタハウジング３の前壁１３に当接すると、それまで下方に撓んでいたランス７ｂは元の状態に復元する。これにより、ランス７ｂの端子係止部１７が端子金具５ｂの係止突起２９に引っ掛かり、端子金具５ｂは係止される。この時、端子金具５ｂは、前部隔壁として機能するランス７ｂと、上側のランス７ａの前側支持面２６及び後側支持面２８とにより支持される。【選択図】図７
2009123368.tif 000002
【特許請求の範囲】
【請求項１】
少なくとも上下方向に端子収容室が複数並ぶコネクタハウジングと、該コネクタハウジングの後方から前方に向けて前記端子収容室に挿入され可撓性を有するランスにより係止される端子金具と、を備えるコネクタにおいて、
前記ランスは、ランス上面に突出する端子係止部と、該端子係止部の前側に形成される前側ランスアームと、前記端子係止部の後側に形成される後側ランスアームとを有し、
且つ前記ランスは、前記前側ランスアーム及び前記後側ランスアームが前記コネクタハウジングの壁に支持される両持ち梁形状に形成されるとともに前記ランスの下方に設けられる撓みスペース内で撓み、
且つ前記ランスは、前記前側ランスアームの支持端側から後方に向けてランス下面からの高さが次第に低くなるよう略傾斜する前側斜面と、前記後側ランスアームの支持端側から前方に向けて前記ランス下面からの高さが次第に低くなるよう略傾斜する後側斜面とを有し、
前記端子金具は、挿入される側の端子収容室の上側に別の端子収容室がある場合、前記挿入される側の端子収容室のランスを下方に撓ませつつ前記別の端子収容室のランスに形成される前記後側斜面を通過した後に前記前側斜面によって前方へ案内され、
且つ前記端子金具は、前記挿入される側の端子収容室のランスにより係止されると、該ランスと、前記別の端子収容室のランスに形成される前記後側斜面の後に連続する後側支持面及び前記前側斜面の前に連続する前側支持面とにより支持される
ことを特徴とするコネクタ。
【請求項２】
請求項１に記載のコネクタにおいて、
前記ランスは、該ランスを左右方向のランス側面側から見た場合に、前記後側斜面と前記前側斜面とが交差するように形成される
ことを特徴とするコネクタ。
【請求項３】
請求項１又は請求項２に記載のコネクタにおいて、
前記前側ランスアームの前記支持端は、間隔をあけて左右方向に並ぶ第１支持端及び第２支持端にて構成される
ことを特徴とするコネクタ。
【請求項４】
請求項３に記載のコネクタにおいて、
前記第１支持端は、前記コネクタハウジングの上側の壁に支持され、前記第２支持端は、前記コネクタハウジングの下側の壁に支持される
ことを特徴とするコネクタ。
【発明の詳細な説明】
【技術分野】
【０００１】
本発明は、コネクタハウジングと端子金具とを備え、端子金具がコネクタハウジングのランスに係止されるコネクタに関する。
【背景技術】
【０００２】
コネクタハウジングの上下方向のコンパクト化を図ったコネクタに関しては、例えば下記特許文献１に開示されている。下記特許文献１に開示されるコネクタは、上下方向に複数の端子収容室を有するコネクタハウジングを備えている。コネクタハウジングは、各端子収容室を隔てる隔壁の一部が可撓性を有する片持ち梁形状のランスによって兼用されている。
【０００３】
また、下記特許文献１に開示されるコネクタは、コネクタハウジングの前面に嵌合するフロントホルダを備えている。フロントホルダには、上記ランスの前方に位置して上記隔壁の一部を構成する前部隔壁が形成されている。
【０００４】
コネクタハウジングの端子収容室に収容される端子金具は、ランスにより係止された状態において、フロントホルダの前部隔壁とコネクタハウジングの後部隔壁とにより支持されるようになっている。
【特許文献１】特開２０００−５８１８０号公報
【発明の開示】
【発明が解決しようとする課題】
【０００５】
ところで、上記従来技術にあっては、前部隔壁を有するフロントホルダを備える必要があることから、部品点数が多くなるという問題点を有している。また、上記従来技術にあっては、ランスが端子金具を係止するために機能する他に、隔壁の一部としても機能するようになっており、更にはランスが片持ち梁形状に形成されていることから、ランス本来の強度を十分に確保することができないという恐れを有している。
【０００６】
本発明は、上記した事情に鑑みてなされたもので、コネクタハウジングの上下方向のコンパクト化を維持したままで、ランスの強度アップと部品点数の削減とを図ることが可能なコネクタを提供することを課題とする。
【課題を解決するための手段】
【０００７】
上記課題を解決するためになされた請求項１記載の本発明のコネクタは、少なくとも上下方向に端子収容室が複数並ぶコネクタハウジングと、該コネクタハウジングの後方から前方に向けて前記端子収容室に挿入され可撓性を有するランスにより係止される端子金具と、を備えるコネクタにおいて、前記ランスは、ランス上面に突出する端子係止部と、該端子係止部の前側に形成される前側ランスアームと、前記端子係止部の後側に形成される後側ランスアームとを有し、且つ前記ランスは、前記前側ランスアーム及び前記後側ランスアームが前記コネクタハウジングの壁に支持される両持ち梁形状に形成されるとともに前記ランスの下方に設けられる撓みスペース内で撓み、且つ前記ランスは、前記前側ランスアームの支持端側から後方に向けてランス下面からの高さが次第に低くなるよう略傾斜する前側斜面と、前記後側ランスアームの支持端側から前方に向けて前記ランス下面からの高さが次第に低くなるよう略傾斜する後側斜面とを有し、前記端子金具は、挿入される側の端子収容室の上側に別の端子収容室がある場合、前記挿入される側の端子収容室のランスを下方に撓ませつつ前記別の端子収容室のランスに形成される前記後側斜面を通過した後に前記前側斜面によって前方へ案内され、且つ前記端子金具は、前記挿入される側の端子収容室のランスにより係止されると、該ランスと、前記別の端子収容室のランスに形成される前記後側斜面の後に連続する後側支持面及び前記前側斜面の前に連続する前側支持面とにより支持されることを特徴としている。
【０００８】
このような特徴を有する本発明によれば、ランスが両持ち梁形状に形成されることから、ランスとして、また、隔壁の一部として十分な強度が確保される。また、本発明によれば、上側のランスに形成される後側支持面及び前側支持面と、下側のランスとにより端子金具が支持されることから、フロントホルダのような別部材を必要としない部品構成にすることが可能になる。
【０００９】
請求項２記載の本発明のコネクタは、請求項１に記載のコネクタにおいて、前記ランスは、該ランスを左右方向のランス側面側から見た場合に、前記後側斜面と前記前側斜面とが交差するように形成されることを特徴としている。
【００１０】
このような特徴を有する本発明によれば、後側斜面と前側斜面との間を繋ぐようにランス下面の一部が存在する場合よりも、後側斜面及び前側斜面の傾斜角度を緩やかにすることが可能になる。これにより、端子収容室に挿入される端子金具の前方への移動をスムーズにすることが可能なる。具体的には、端子金具は、前側斜面に当接した後にこの前側斜面を摺動することから、前側斜面の傾斜角度が緩やかであれば端子金具に対する挿入力が小さくなり、結果、前方への移動がスムーズになる。また、本発明によれば、後側斜面及び前側斜面の傾斜角度を緩やかにすることで、端子金具挿入時の端子金具の傾きを小さくして前方への移動をスムーズにすることが可能になる。
【００１１】
請求項３記載の本発明のコネクタは、請求項１又は請求項２に記載のコネクタにおいて、前記前側ランスアームの前記支持端は、間隔をあけて左右方向に並ぶ第１支持端及び第２支持端にて構成されることを特徴としている。
【００１２】
このような特徴を有する本発明によれば、強度を十分に確保した状態で撓み易くなるランスにすることが可能な形状になる。
【００１３】
請求項４記載の本発明のコネクタは、請求項３に記載のコネクタにおいて、前記第１支持端は、前記コネクタハウジングの上側の壁に支持され、前記第２支持端は、前記コネクタハウジングの下側の壁に支持されることを特徴としている。
【００１４】
このような特徴を有する本発明によれば、前側ランスアームの支持端が上下方向に連続することにより、型抜き穴（ランスを形成するためにコネクタハウジングに生じる型抜き穴）の変形を防止することが可能になる。
【発明の効果】
【００１５】
請求項１に記載された本発明によれば、コネクタハウジングの上下方向のコンパクト化を維持したままでランスの強度アップと部品点数の削減とを図ることができるという効果を奏する。
【００１６】
請求項２に記載された本発明によれば、端子金具に対する挿入性を向上させることができるという効果を奏する。
【００１７】
請求項３に記載された本発明によれば、強度及び可撓性のバランスが良好となるランスを形成することができるという効果を奏する。
【００１８】
請求項４に記載された本発明によれば、ランスを形成するためにコネクタハウジングに生じる型抜き穴の変形を防止することができるという効果を奏する。また、コネクタハウジング自体の強度を向上させることができるという効果を奏する。
【発明を実施するための最良の形態】
【００１９】
以下、図面を参照しながら説明する。図１は本発明のコネクタの一実施の形態を示す図であり、（ａ）はコネクタの斜視図、（ｂ）はコネクタの正面図である。また、図２は図１のＡ−Ａ線断面図であり、端子金具を下側の端子収容室に収容する前の状態を示す断面図、図３は図２の要部拡大図、図４は図１のＢ−Ｂ線断面図、図５はランスを下方から見た状態となる断面を含む斜視図、図６は端子金具を下側の端子収容室に収容する途中の状態を示すコネクタの断面図、図７は端子金具を下側の端子収容室に収容した状態を示すコネクタの断面図、図８は端子金具を上側の端子収容室にも収容した状態を示すコネクタの断面図である。
【００２０】
図中の矢印は本明細書中において上下方向、前後方向、左右方向をそれぞれ示すものとする。
【００２１】
図１において、ワイヤハーネスの端末に設けられ電気的な接続を行うためのコネクタ１は、上下方向及び左右方向に複数の端子収容室２を有する合成樹脂製のコネクタハウジング３と、このコネクタハウジング３の下方から上方に向けて移動し嵌合する合成樹脂製のスペーサ４と、コネクタハウジング３の後方から前方に向けて端子収容室２に挿入されて収容係止される導電性の端子金具５（図２及び図６参照）とを備えて構成されている。コネクタ１は、従来例とは異なり、フロントホルダを必要としない構成及び構造となっている。また、コネクタ１は、後述するランスに特徴を有する構造となっている。
【００２２】
端子収容室は、これを総称する場合に引用符号２を用い、上側の端子収容室を指す場合には引用符号２ａを、下側の端子収容室を指す場合には引用符号２ｂを用いるものとする。また、端子金具も総称する場合に引用符号５を用い、上側の端子収容室２ａに収容係止されるものは５ａ、下側の端子収容室２ｂに収容係止されるものは５ｂを用いるものとする。この他、上側の端子収容室２ａに対応する部分は引用符号に「ａ」、下側の端子収容室２ｂに対応する部分は引用符号に「ｂ」を含んで用いるものとする。
【００２３】
尚、公知のものと基本的に同じであるとして、コネクタハウジング３の外観的な形状についての説明や、スペーサ４についての説明、さらには端子金具５についての説明を省略するものとする。
【００２４】
図１ないし図４において、コネクタハウジング３は、前後方向に略貫通する端子収容室２を複数有している。各端子収容室２は、隔壁により隔てられて区画形成されている。上下を隔てる隔壁としては、引用符号６ａ、６ｂで示される後部隔壁が用いられている。また、前部隔壁を兼用するようにランス７ａ、７ｂ（総称する場合は７）が後部隔壁６ａ、６ｂの前方に配置形成されている。上下を隔てる隔壁としての中間部隔壁８ａ、８ｂは、コネクタハウジング３の中間に嵌合するスペーサ４に形成されている。上側の端子収容室２ａは、コネクタハウジング３の上壁９の内面を含んで区画形成されている。一方、左右を隔てる隔壁としては、引用符号１０〜１２で示される左右隔壁が用いられ、これらは等間隔で複数形成されている（図４参照）。
【００２５】
コネクタハウジング３の前面には、前壁１３が設けられており、この前壁１３には、相手側端子金具が差し込まれる相手側端子金具挿入穴１４ａ、１４ｂが貫通形成されている。また、コネクタハウジング３の後面には、端子金具５ａ、５ｂを挿入するための端子金具挿入穴１５ａ、１５ｂが形成されている。尚、特に符号を付さないが、相手側端子金具挿入穴１４ａ、１４ｂのそれぞれの下側には、ランス７ａ、７ｂを形成するための型抜き穴が前後方向にのびるように形成されている。
【００２６】
図３及び図５において、端子金具５を係止するためのランス７は、強度と可撓性のバランスが良好となるように形成されている。また、ランス７は、端子金具５（５ａ）を係止する他に、この下側に別の端子金具５（５ｂ）がある場合には、端子金具５（５ｂ）を支持することができるようにも形成されている。さらに、ランス７は、上記の如く前部隔壁としての機能を有するようにも形成されている。以下、構造を具体的に説明する。
【００２７】
ランス７は、ランス上面１６に突出する端子係止部１７と、この端子係止部１７の前側に形成されるアーム形状の前側ランスアーム１８と、端子係止部１７の後側に形成されるアーム形状の後側ランスアーム１９とを有している。ランス７は、前側ランスアーム１８の支持端（２０、２１）がコネクタハウジング３の前壁１３に支持され、また、後側ランスアーム１９の支持端２２がコネクタハウジング３の左右隔壁１０に支持される両持ち梁形状に形成されている。また、ランス７は、可撓性を有してこのランス７の下方に設けられる撓みスペース２３（２３ａ又は２３ｂ）内で撓むように形成されている（下方に撓み、下方に撓んだ状態から上方に復元する）。
【００２８】
ランス７は、ランス上面１６の端子係止部１７にて端子金具５を係止する機能を有するとともに、端子係止部１７の反対側では、ランス７の下側の端子収容室２に収容される端子金具５を案内し、且つ支持する機能を有している。
【００２９】
前側ランスアーム１８の支持端は、第１支持端２０と第２支持端２１とで構成されている。第１支持端２０及び第２支持端２１は、所定の間隔をあけて左右方向に並ぶように配置形成されている。第１支持端２０及び第２支持端２１の間には、コネクタハウジング３の前壁１３を貫通する上記型抜き穴に連通する空間が形成されている。このような第１支持端２０及び第２支持端２１には、前側斜面２４がそれぞれ形成されている。
【００３０】
前側斜面２４は、端子係止部１７の反対側となるランス下面２５に向けて、このランス下面２５からの高さが次第に低くなるよう略傾斜した形状に形成されている（言い換えれば、前側斜面２４は、後方に向けてランス下面２５からの高さが次第に低くなるよう略傾斜した形状に形成されている）。前側斜面２４には、端子金具５が当接するようになっている。前側斜面２４は、端子金具５の当接の後にこの端子金具５が摺動し、端子金具５を前方へ案内することができるようになっている。
【００３１】
第１支持端２０及び第２支持端２１には、前側斜面２４の他に前側支持面２６が形成されている。前側支持面２６は、前側斜面２４の前に連続するように形成されている。前側支持面２６は、前後方向に対して平行な面となるように形成されている（線接触により支持するような形状に形成しても良いものとする）。前側支持面２６は、端子金具５の箱形状の電気接触部を支持する部分として形成されている。
【００３２】
後側ランスアーム１９には、後側斜面２７が形成されている。後側斜面２７は、後側ランスアーム１９の支持端２２側から前方に向けてランス下面２５からの高さが次第に低くなるよう略傾斜した形状に形成されている。後側斜面２７は、端子金具５を前方へ案内するための部分として形成されている。
【００３３】
後側ランスアーム１９には、後側斜面２７の他に後側支持面２８が形成されている。後側支持面２８は、後側斜面２７の後に連続するように形成されている。後側支持面２８は、前後方向に対して平行な面となるように形成されている。後側支持面２８は、端子金具５の箱形状の電気接触部を支持する部分として形成されている。後側支持面２８は、前側支持面２６と同じ高さ位置に形成されている。
【００３４】
前側斜面２４及び後側斜面２７は、端子金具５を前方へ案内するための部分として形成されている。本形態においては、これらの間にランス下面２５の一部が存在しており、ランス下面２５の一部も端子金具５を前方へ案内するための部分として機能するようになっている（この限りでないものとする。尚、ランス下面２５の一部が存在しない例を図９を参照しながら後述する）。
【００３５】
ランス７は、後側ランスアーム１９の支持端２２を除いてコネクタハウジング３の左右隔壁１０に対し極僅かな隙間があくように形成されている。
【００３６】
次に、上記構成及び構造に基づきながらコネクタ１の組み立てについて説明する。図面は、図２、図５、図６〜図８を参照するものとする。
【００３７】
図２において、端子金具５ｂを端子収容室２ｂの端子金具挿入穴１５ｂの後方に配置する。そして、この状態から真っ直ぐ前方へ端子金具５ｂを挿入していく。
【００３８】
図６において、端子金具挿入穴１５ｂを介して端子収容室２ｂに挿入された端子金具５ｂは、後部隔壁６ｂ及び中間部隔壁８ｂを順に通過する。そして、端子金具５ｂはこの電気接触部の係止突起２９がランス７ｂの端子係止部１７（この斜面）に当接する。端子金具５ｂの挿入を続けると、ランス７ｂの端子係止部１７の上方にランス７ａの撓みスペース２３ａ（図３参照）が存在することから、端子金具５ｂは若干上方へ傾きながら前方へ移動する（あたかも斜め挿入の状態で移動する）。
【００３９】
この時、端子金具５ｂは、電気接触部の係止突起２９がランス７ｂの端子係止部１７の斜面を摺動してランス７ｂを下方へ撓ませるとともに、ランス７ａの後側斜面２７及びランス下面２５の一部によって前方へ案内され、この後に電気接触部の前端がランス７ａの前側斜面２４に当接する。
【００４０】
ランス７ａの前側斜面２４に当接した状態においては、端子金具５ｂの押圧によって、ランス７ｂは完全に下方に撓んだ状態になる（撓みスペース２３ｂ内で撓む）。尚、端子金具５ｂの後方にのびる電線３０は、端子金具５ｂが上記の如く若干斜め上方に傾くことから、後部隔壁６ｂに接触して湾曲するようになる。
【００４１】
図７において、端子金具５ｂの挿入を続けると、端子金具５ｂは、電気接触部の前端がランス７ａの前側斜面２４を摺動し、これにより前方へ案内される。そして、端子金具５ｂの傾きが元の状態に戻り、電気接触部の前端がコネクタハウジング３の前壁１３（の内面）に当接すると、それまで下方に撓んでいたランス７ｂは元の状態に復元する。これにより、ランス７ｂの端子係止部１７（の係止面）が端子金具５ｂの係止突起２９に引っ掛かり、端子金具５ｂは係止される。この時、端子金具５ｂは、前部隔壁として機能するランス７ｂと、上側のランス７ａの前側支持面２６及び後側支持面２８とにより支持される。
【００４２】
図８において、端子金具５ａを端子収容室２ａの端子金具挿入穴１５ａの後方に配置して、この状態から真っ直ぐ前方へ端子金具５ａを挿入していくと、端子金具５ａは、後部隔壁６ａ及び中間部隔壁８ａを順に通過して電気接触部の係止突起２９がランス７ａの端子係止部１７（この斜面）に当接する。そして、端子金具５ａの挿入を更に続けると、電気接触部の係止突起２９がランス７ａの端子係止部１７の斜面を摺動してランス７ａを下方へ撓ませる。尚、端子金具５ａは、コネクタハウジング３の上壁９の内面に接しながら真っ直ぐ前方へ移動する。
【００４３】
電気接触部の前端がコネクタハウジング３の前壁１３（の内面）に当接すると、それまで下方に撓んでいたランス７ａは元の状態に復元する。これにより、ランス７ａの端子係止部１７（の係止面）が端子金具５ａの係止突起２９に引っ掛かり、端子金具５ａは係止される。この時、端子金具５ａは、前部隔壁として機能するランス７ａと、コネクタハウジング３の上壁９とにより支持される。
【００４４】
上記の手順で全ての端子金具５を対応する端子収容室２に収容した後、コネクタハウジング３に対して仮係止状態にあるスペーサ４を押し上げて本係止状態に移行させると、端子金具５はスペーサ４によって二重に係止される。これにより、端子金具５の抜けが確実に規制されてコネクタ１の組み付けが完了する。
【００４５】
以上、図１ないし図８を参照しながら説明してきたように、本発明によれば、ランス７を両持ち梁形状に形成していることから、ランス７として、また、隔壁の一部として十分な強度を確保することができる。また、本発明によれば、下側のランス７ｂと、上側のランス７ａに形成される前側支持面２６及び後側支持面２８とにより端子金具５（５ｂ）を支持することから、フロントホルダのような別部材を必要としない部品構成及び構造にすることができる。
【００４６】
従って、本発明によれば、コネクタハウジング３の上下方向のコンパクト化を従来同様に維持したままで、ランス７の強度アップと部品点数の削減とを図ることができるという効果を奏する。
【００４７】
続いて、図９ないし図１３を参照しながら本発明のコネクタの他の一実施の形態を説明する。
【００４８】
図９は他の一実施の形態を示す図であり、ランスを下方から見た状態となる断面を含む斜視図、図１０は端子金具を下側の端子収容室に収容する前の状態を示すコネクタの断面図、図１１は端子金具を下側の端子収容室に収容する途中の状態を示すコネクタの断面図、図１２は端子金具を下側の端子収容室に収容した状態を示すコネクタの断面図、図１３は端子金具を上側の端子収容室にも収容した状態を示すコネクタの断面図である。
【００４９】
図９において、コネクタハウジング３のランス７（７ａ）は、このランス７を左右方向のランス側面３１側から見た場合に、前側斜面２４と後側斜面２７とを交差するように形成している点のみが異なっている（これ以外は上記コネクタ１と同じである。従って、各部分の説明は省略する）。
【００５０】
本形態において、前側斜面２４及び後側斜面２７は、これらが交差するように形成されており、このことから前側斜面２４及び後側斜面２７の傾斜角度が上記形態よりも緩やかになっている（前側斜面２４と後側斜面２７との間を繋ぐようにランス下面２５の一部が存在する上記形態の場合よりも、傾斜角度が緩やかになっている）。
【００５１】
以下、前側斜面２４及び後側斜面２７が交差するランス７を形成したコネクタハウジング３と、端子金具５と、スペーサ４とを備えてなるコネクタ１の組み立てについて説明する。
【００５２】
図１０において、端子金具５ｂを端子収容室２ｂの端子金具挿入穴１５ｂの後方に配置する。そして、この状態から真っ直ぐ前方へ端子金具５ｂを挿入していく。
【００５３】
図１１において、端子金具挿入穴１５ｂを介して端子収容室２ｂに挿入された端子金具５ｂは、後部隔壁６ｂ及び中間部隔壁８ｂを順に通過する。そして、端子金具５ｂはこの電気接触部の係止突起２９がランス７ｂの端子係止部１７（この斜面）に当接する。端子金具５ｂの挿入を続けると、ランス７ｂの端子係止部１７の上方にランス７ａの撓みスペース２３ａ（図３参照）が存在することから、端子金具５ｂは若干上方へ傾きながら前方へ移動する（あたかも斜め挿入の状態で移動する。但し、図６の場合よりも端子金具５ｂの傾きが緩やかな状態で移動する）。
【００５４】
この時、端子金具５ｂは、電気接触部の係止突起２９がランス７ｂの端子係止部１７の斜面を摺動してランス７ｂを下方へ撓ませるとともに、ランス７ａの後側斜面２７によって前方へ案内され、この後に電気接触部の前端がランス７ａの前側斜面２４に当接する。端子金具５ｂは、緩やかな傾斜角度となり交差する後側斜面２７から前側斜面２４へと案内されて前方へ移動することから、スムーズに端子金具５ｂの挿入が行われる。
【００５５】
ランス７ａの前側斜面２４に当接した状態においては、端子金具５ｂの押圧によって、ランス７ｂは完全に下方に撓んだ状態になる（撓みスペース２３ｂ内で撓む）。尚、端子金具５ｂの後方にのびる電線３０は、端子金具５ｂが上記の如く若干斜め上方に傾くが、図６の場合とは異なり、端子金具挿入穴１５ｂ付近に接触、若しくは接触せずに後方に導出されるようになる。
【００５６】
図１２において、端子金具５ｂの挿入を続けると、端子金具５ｂは、電気接触部の前端がランス７ａの前側斜面２４を摺動し、これにより前方へ案内される。そして、端子金具５ｂの傾きが元の状態に戻り、電気接触部の前端がコネクタハウジング３の前壁１３（の内面）に当接すると、それまで下方に撓んでいたランス７ｂは元の状態に復元する。これにより、ランス７ｂの端子係止部１７（の係止面）が端子金具５ｂの係止突起２９に引っ掛かり、端子金具５ｂは係止される。この時、端子金具５ｂは、前部隔壁として機能するランス７ｂと、上側のランス７ａの前側支持面２６及び後側支持面２８とにより支持される。
【００５７】
図１３において、端子金具５ａを端子収容室２ａの端子金具挿入穴１５ａの後方に配置して、この状態から真っ直ぐ前方へ端子金具５ａを挿入していくと、端子金具５ａは、後部隔壁６ａ及び中間部隔壁８ａを順に通過して電気接触部の係止突起２９がランス７ａの端子係止部１７（この斜面）に当接する。そして、端子金具５ａの挿入を更に続けると、電気接触部の係止突起２９がランス７ａの端子係止部１７の斜面を摺動してランス７ａを下方へ撓ませる。尚、端子金具５ａは、コネクタハウジング３の上壁９の内面に接しながら真っ直ぐ前方へ移動する。
【００５８】
電気接触部の前端がコネクタハウジング３の前壁１３（の内面）に当接すると、それまで下方に撓んでいたランス７ａは元の状態に復元する。これにより、ランス７ａの端子係止部１７（の係止面）が端子金具５ａの係止突起２９に引っ掛かり、端子金具５ａは係止される。この時、端子金具５ａは、前部隔壁として機能するランス７ａと、コネクタハウジング３の上壁９とにより支持される。
【００５９】
上記の手順で全ての端子金具５を対応する端子収容室２に収容した後、コネクタハウジング３に対して仮係止状態にあるスペーサ４を押し上げて本係止状態に移行させると、端子金具５はスペーサ４によって二重に係止される。これにより、端子金具５の抜けが確実に規制されてコネクタ１の組み付けが完了する。
【００６０】
以上、図９ないし図１３を参照しながら説明してきたように、本発明によれば、図１ないし図８で説明したコネクタ１と同様に、コネクタハウジング３の上下方向のコンパクト化を従来同様に維持したままで、ランス７の強度アップと部品点数の削減とを図ることができるという効果を奏する。
【００６１】
また、本発明によれば、前側斜面２４及び後側斜面２７を交差させることにより、端子金具５（５ｂ）の前方への移動をスムーズにすることができる（端子金具に対する挿入力を小さくすることができる）。従って、作業性の向上を図ることができるという効果を奏する。
【００６２】
続いて、図１４ないし図１６を参照しながら本発明のコネクタの更に他の一実施の形態を説明する。
【００６３】
図１４は更に他の一実施の形態を示す図であり、コネクタハウジング前面を拡大した斜視図である。また、図１５はランスを下方から見た状態となる断面を含む斜視図であり、図１５（ａ）は第２支持端が見える位置の図、図１５（ｂ）は第１支持端が見える位置の図である。
【００６４】
図１４において、コネクタハウジング３の前壁１３には、型抜き穴３２が端子収容室２の数分だけ形成されている。型抜き穴３２は、ランス７を形成するために生じる部分であって、本形態においては、コネクタハウジング３の強度を向上させるような形状に型抜き穴３２が生じるようになっている。尚、図１〜図１３までの上記形態の場合には、単なる矩形の型抜き穴が左右方向に連続して形成されている（図１参照）。このような型抜き穴では、コネクタハウジング３の上下方向から仮に過大な力が掛かったとすると、型抜き穴の部分等が変形してしまうという可能性を僅かながら有している（過大な力は仮定であり、一般的な使用においては掛かることのない力であるものとする）。しかしながら、本形態においては、型抜き穴３２の形状が上記形態とは異なるようになっている。本形態においては、ランス７（図１５参照）に工夫を凝らして変形し難い形状になっている。
【００６５】
図１５において、ランス７は、第１支持端２０がコネクタハウジング３の前壁１３に対して上側に支持されるように形成されている。また、ランス７は、第２支持端２１がコネクタハウジング１２の前壁１３に対して下側に支持されるように形成されている。型抜き穴３２や端子収容室２は、第１支持端２０と第２支持端２１とを介して上下方向に連続するようになることから、強度アップが図られて変形し難い形状になっている。従って、コネクタハウジング３自体の強度を向上させることができるという効果を奏している。
【００６６】
続いて、図１６を参照しながらランスの係止状態の解除に係る構造について説明する。図１６（ａ）はランスの係止状態を解除するための係止解除部の配置説明図、図１６（ｂ）は係止解除部と端子抜き治具の模式的な説明図である。
【００６７】
図１６において、ランス７のランス側面３１には、図中太線３３で示すような位置にランス７の係止状態を解除するための係止解除部３４が形成されている。この係止解除部３４は、型抜き穴３２の空間に突出するように形成されている。係止解除部３４は、前後方向に対して平行な例えばリブ形状に形成されており、この先端には型抜き穴３２に差し込まれる端子抜き治具３５が当接するようになっている。端子抜き治具３５は、係止解除部３４に対する摺動面３６を有しており、係止解除部３４が摺動面３６を摺動すると、係止状態にあるランス７が解除方向に撓むように形成されている。
【００６８】
尚、ランス７の係止状態の解除に関しては、図１７及び図１８に示す如くの構造を採用しても良いものとする（一例であるものとする）。
【００６９】
図１７は係止解除部の他の例を示す断面を含む斜視図、図１８は図１７の係止解除部を端子抜き治具により操作してランスの係止状態を解除する途中のコネクタ断面図である。
【００７０】
図１７において、ランス７の端子係止部１７の周囲には、斜面形状となる係止解除部３７が形成されている。係止解除部３７は、型抜き穴３８の空間に存在するように形成されている。図１８において、係止解除部３７は、型抜き穴３８に差し込まれる端子抜き治具３９によって操作されるようになっている。
【００７１】
上記構成において、端子抜き治具３９を挿入して係止解除部３７を操作すると、ランス７は端子金具５（５ａ）に対する係止状態が図示の如く解除されるようになる。
【００７２】
以上、端子係止部１７の周囲に止解除部３７を形成すれば、端子抜き治具３９を用いて係止解除を容易に行うことができるようになる。
【００７３】
この他、本発明は本発明の主旨を変えない範囲で種々変更実施可能なことは勿論である。
【図面の簡単な説明】
【００７４】
【図１】本発明のコネクタの一実施の形態を示す図であり、（ａ）はコネクタの斜視図、（ｂ）はコネクタの正面図である。
【図２】図１のＡ−Ａ線断面図であり、端子金具を下側の端子収容室に収容する前の状態を示す断面図である。
【図３】図２の要部拡大図である。
【図４】図１のＢ−Ｂ線断面図である。
【図５】ランスを下方から見た状態となる断面を含む斜視図である。
【図６】端子金具を下側の端子収容室に収容する途中の状態を示すコネクタの断面図である。
【図７】端子金具を下側の端子収容室に収容した状態を示すコネクタの断面図である。
【図８】端子金具を上側の端子収容室にも収容した状態を示すコネクタの断面図である。
【図９】本発明のコネクタの他の一実施の形態を示す図であり、ランスを下方から見た状態となる断面を含む斜視図である。
【図１０】端子金具を下側の端子収容室に収容する前の状態を示すコネクタの断面図である。
【図１１】端子金具を下側の端子収容室に収容する途中の状態を示すコネクタの断面図である。
【図１２】端子金具を下側の端子収容室に収容した状態を示すコネクタの断面図である。
【図１３】端子金具を上側の端子収容室にも収容した状態を示すコネクタの断面図である。
【図１４】本発明のコネクタの更に他の一実施の形態を示す図であり、コネクタハウジング前面を拡大した斜視図である。
【図１５】ランスを下方から見た状態となる断面を含む斜視図であり、（ａ）は第２支持端が見える位置の図、（ｂ）は第１支持端が見える位置の図である。
【図１６】（ａ）はランスの係止状態を解除するための係止解除部の配置説明図、（ｂ）は係止解除部と端子抜き治具の模式的な説明図である。
【図１７】係止解除部の他の例を示す断面を含む斜視図である。
【図１８】図１７の係止解除部を端子抜き治具により操作してランスの係止状態を解除する途中のコネクタ断面図である。
【符号の説明】
【００７５】
１  コネクタ
２  端子収容室
３  コネクタハウジング
４  スペーサ
５  端子金具
７  ランス
９  上壁
１３  前壁
１６  ランス上面
１７  端子係止部
１８  前側ランスアーム
１９  後側ランスアーム
２０  第１支持端
２１  第２支持端
２２  支持端
２３  撓みスペース
２４  前側斜面
２５  ランス下面
２６  前側支持面
２７  後側斜面
２８  後側支持面
２９  係止突起
３１  ランス側面
３２  型抜き穴
３４  係止解除部
３５  端子抜き治具
３６  摺動面
３７  係止解除部
３８  型抜き穴
３９  端子抜き治具
【図１】
2009123368.tif 000003
【図２】
2009123368.tif 000004
【図３】
2009123368.tif 000005
【図４】
2009123368.tif 000006
【図５】
2009123368.tif 000007
【図６】
2009123368.tif 000008
【図７】
2009123368.tif 000009
【図８】
2009123368.tif 000010
【図９】
2009123368.tif 000011
【図１０】
2009123368.tif 000012
【図１１】
2009123368.tif 000013
【図１２】
2009123368.tif 000014
【図１３】
2009123368.tif 000015
【図１４】
2009123368.tif 000016
【図１５】
2009123368.tif 000017
【図１６】
2009123368.tif 000018
【図１７】
2009123368.tif 000019
【図１８】
2009123368.tif 000020